(57)【要約】【課題】施工された部分において一方向に斜めに延びる帯状の領域が複数配列された模様を容易に形成することができる化粧材を提供する。【解決手段】長方形又は正方形の外周形状を有し、斜めに延びる斜行領域を複数有し、複数の斜行領域は、平行になるように配列され、隣り合う斜行領域には異なる模様が付され、一つの辺である第一辺及び該第一辺の反対側の辺である第二辺において、複数の斜行領域が形成する縁部の長さは同じであり、第一辺に直交する第三辺及び該第三辺とは反対側の第四辺において、複数の斜行領域が形成する縁部の長さは同じであり、第一辺における斜行領域の縁に隣接する模様と第二辺における斜行領域の縁に隣接する模様とは同じ又は連続し、第三辺における斜行領域の縁に隣接する模様と第四辺における斜行領域の縁に隣接する模様とは同じ又は連続する。【選択図】図２
2020045742.tif 000002
【特許請求の範囲】
【請求項１】
長方形又は正方形の外周形状を有する化粧材であって、
前記長方形又は前記正方形の辺に対して斜めに延びる領域である斜行領域を複数有し、
複数の前記斜行領域は、延びる方向が平行になるように配列されるとともに、隣り合う前記斜行領域には異なる模様が付されており、
前記外周形状の一つの辺である第一辺及び該第一辺とは反対側に位置する辺である第二辺において、複数の前記斜行領域が形成する縁部の長さはいずれも同じであり、
前記外周形状の前記第一辺に直交する辺である第三辺及び該第三辺とは反対側に位置する第四辺において、複数の前記斜行領域が形成する縁部の長さはいずれも同じであり、
前記第一辺における斜行領域の縁に隣接する模様と前記第二辺における斜行領域の縁に隣接する模様とは、いずれも同じ又は連続し、
前記第三辺における斜行領域の縁に隣接する模様と前記第四辺における斜行領域の縁に隣接する模様とは、いずれも同じ又は連続する、
化粧材。
【請求項２】
前記模様が木目調、又は、石目調である請求項１に記載の化粧材。
【請求項３】
隣り合う前記斜行領域は線、溝、又は凸条の少なくとも一つにより区切られている請求項１又は２に記載の化粧材。
【請求項４】
前記斜行領域には、延びる方向に直交する境界である斜行領域内境界短辺が形成され、前記斜行領域内境界短辺を挟んで一方側と他方側とで模様が異なる、請求項１乃至３のいずれかに記載の化粧材。
【請求項５】
前記斜行領域内境界短辺が線、溝、又は凸条の少なくとも一つにより形成されている請求項４に記載の化粧材。
【発明の詳細な説明】
【技術分野】
【０００１】
本発明は化粧材に関する。
【背景技術】
【０００２】
住宅、事務所、店舗等の建築物の内面を構成する壁、床、天井等の空間の内面、又は建築物の外壁、屋根、軒下、塀等を構成する外面に用いられ、これら内面や外面を装飾する化粧材が知られている。この化粧材では、様々な種類に亘って化粧材の表面に付される模様や色彩が準備されており、利用者の好みに応じて模様や色彩を選択することができる。
【０００３】
このような化粧材は、例えば建築物内面の壁面を装飾する壁紙等の化粧材の場合、通常は概ね９２０ｍｍの幅、及び、概ね１２４０ｍｍの長さを有する帯状に形成されている。そして空間を形成する内面に、複数の化粧材を幅方向及び長さ方向に２次元的に配列して当該内面、すなわち施工面の所望の広い範囲を隙間なく被覆することによって装飾（すなわち施工）することができる。
【０００４】
このような化粧材には例えば特許文献１に記載のように、横長の長方形をなす木材のブロックが縦横に配列された形態の模様を有しているものがある。この化粧材を複数配列して内面を装飾し、この模様による美感を有する装飾をすることができる。かかる模様においては、ブロックを構成する輪郭線（即ち、長方形の辺）の方向は水平又は鉛直方向に延びる。
【０００５】
一方で、好みの多様化により、斜めに延びる帯状が配列された模様を有する形態の要望があった。
【先行技術文献】
【特許文献】
【０００６】
【特許文献１】特開２００５−３０７４５５号公報
【発明の概要】
【発明が解決しようとする課題】
【０００７】
ところが、従来の技術では、斜めに延びる帯状が配列された模様を有する形態において、装飾されるべき内面や外面が全体として一方向に斜めに延びる帯状により装飾されるような模様とすることに困難があった。
例えば、細長い長方形の木板を斜め向きとし、これを複数並べて内面や外面に取り付けていくことにより、このような模様を形成することは可能である。しかしながら、この場合には実際の木板を用いる必要があるため、非常に費用と時間を要する。
【０００８】
また、帯状の長方形をなす化粧材の縁、すなわち、化粧材外周部の長辺に平行に模様のブロックの長辺が延びる帯状が配列された模様の化粧材（例えば特許文献１）を、ブロックの長辺を鉛直線に対して斜めに傾けて内面や外面に貼り付けることでこのような模様を形成することは可能である。しかしながら、化粧材の自重を支えながら化粧材の傾斜角度を調整し、所望の傾斜角度で接着が完了するまで化粧材の落下、垂れ下がり、傾斜角度の変位を防ぐよう保持する必要が有る。このように複数の化粧材を斜めにして内面や外面に貼り付けていくことは施工が難しく、特に、壁紙のような可撓性シート状の化粧材の場合に難度が高く、作業効率の観点から好ましくない。
【０００９】
そこで本発明は、施工された部分において一方向に斜めに延びる帯状の領域が複数配列された模様を容易に形成することができる化粧材を提供することを課題とする。
【課題を解決するための手段】
【００１０】
本発明の一つの態様は、長方形又は正方形の外周形状を有する化粧材であって、長方形又は正方形の辺に対して斜めに延びる領域である斜行領域を複数有し、複数の斜行領域は、延びる方向が平行になるように配列されるとともに、隣り合う斜行領域には異なる模様が付されており、外周形状の一つの辺である第一辺及び該第一辺とは反対側に位置する辺である第二辺において、複数の斜行領域が形成する縁部の長さはいずれも同じであり、外周形状の第一辺に直交する辺である第三辺及び該第三辺とは反対側に位置する第四辺において、複数の斜行領域が形成する縁部の長さはいずれも同じであり、第一辺における斜行領域の縁に隣接する模様と第二辺における斜行領域の縁に隣接する模様とは、いずれも同じ又は連続し、第三辺における斜行領域の縁に隣接する模様と第四辺における斜行領域の縁に隣接する模様とは、いずれも同じ又は連続する、化粧材である。
【００１１】
模様は木目調、又は、石目調とすることができる。
【００１２】
隣り合う斜行領域は線、溝、又は凸条の少なくとも一つにより区切られてもよい。
【００１３】
斜行領域には、延びる方向に直交する境界である斜行領域内境界短辺が形成され、斜行領域内境界短辺を挟んで一方側と他方側とで模様が異なるようにしてもよい。
【００１４】
斜行領域内境界短辺が線、溝、又は凸条の少なくとも一つにより形成されてもよい。
【発明の効果】
【００１５】
本発明の化粧材によれば、施工された部分において、鉛直線に対して一方向に斜めに延びる拡張、長大化された帯状の領域が複数配列された模様を形成することができる。また、複数の化粧材を配列する際には、通常の化粧材と同様に縦横に並べればよく、容易に施工することができる。
【図面の簡単な説明】
【００１６】
【図１】図１は化粧材１０による空間内面構造１を表した図である。
【図２】図２は化粧材１０を表した図である。
【図３】図３は化粧材１０を製造するための型を説明する図である。
【図４】図４は化粧材１０’を表した図である。
【図５】図５は化粧材１０’による空間内面構造１’を表した図である。
【図６】図６は化粧材１０’の他の例を表した図である。
【図７】図７は化粧材１０’の他の例を表した図である。
【図８】図８は化粧材１０’の他の例を表した図である。
【図９】図９は化粧材１１０を表した図である。
【図１０】図１０は化粧材２１０を表した図である。
【図１１】図１１は化粧材３１０を表した図である。
【図１２】図１２は化粧材３１０’を表した図である。
【図１３】図１３は化粧材３１０’による空間内面構造３０１’を表した図である。
【図１４】図１４は化粧材４１０を表した図である。
【図１５】図１５は化粧材５１０を表した図である。
【発明を実施するための形態】
【００１７】
以下、本発明を図面に示す形態に基づき説明する。ただし、本発明はこれら形態に限定されるものではない。なお、以下に示す図面では分かりやすさのため部材の大きさや比率を変更または誇張して記載することがある。また、見やすさのため説明上不要な部分の図示や繰り返しとなる符号は省略することがある。
【００１８】
図１は第一の形態を説明する図であり、複数の化粧材１０が配列された空間内面構造１の一部を表している。ここで空間内面構造は、建物の壁、床、天井等のような、空間を形成する内表面における構造を意味している。本形態ではその中でも建物の壁の例である。従って、本形態では図１に併せて示した方向を示す矢印はｘが水平方向、ｙが鉛直方向、ｚが壁厚方向をそれぞれ表している。なお、図１では分かりやすさのため、隣り合う化粧材１０との境界となる部分を太線で表しているが、実際にはこのように隣り合う化粧材１０との境界は目立つようには構成されていない。
【００１９】
ここではひとつの例として、化粧材を空間内面構造に適用した例で説明するが、例えば次のように適用することもできる。
すなわち、上記したような壁、床、天井等の建築物の内装材として空間内面構造を形成する他、建築物の外壁、屋根、門扉、塀、柵等の外裝材として外面構造、扉、窓枠、扉、扉枠等の建具、廻り縁、幅木、手摺等の造作部材の表面材、テレビ受像機、冷蔵庫等の家電製品や複写機等の事務機器の筐体の表面材、箪笥等の家具の表面材、箱、樹脂瓶等の容器の表面材、車両等の内装材又は外裝材、船舶の内装材又は外裝材等として用いることもできる。
【００２０】
図１からわかるように、化粧材１０はシート状の部材であり、複数の化粧材１０が水平方向（ｘ方向）及び鉛直方向（ｙ方向）に配列されている。このとき本形態では長方形の化粧材１０のうち互いに平行な１対の辺（化粧材の幅を構成する短辺）が水平方向に並び、これに直交する互いに平行なもう１対の辺（化粧材の長さを構成する長辺）が鉛直方向に並ぶようにされている。ただしこれに限定されることはなく、長方形の化粧材のうち長辺が水平方向に並び、短辺が鉛直方向に並ぶように配列してもよい。
【００２１】
複数の化粧材１０のこのような配置では、ある化粧材１０に注目し、その水平方向に平行な１対の辺、すなわち、上辺１１、下辺１２、及び、鉛直方向に平行な１対の辺、すなわち、左辺１３、右辺１４についてみると、当該ある化粧材１０の上（上辺１１側）に配置される他の化粧材１０との関係において、当該ある化粧材１０の上辺１１と上に配置される他の化粧材１０の下辺１２とが重なるように配置される。
同様に、ある化粧材１０の下（下辺１２側）に配置される他の化粧材１０との関係において、当該ある化粧材１０の下辺１２とその下に配置される他の化粧材１０の上辺１１とが重なるように配置される。
また、ある化粧材１０の右（右辺１４側）に配置される他の化粧材１０との関係において、当該ある化粧材１０の右辺１４とその右に配置される他の化粧材１０の左辺１３とが重なるように配置される。
そして、ある化粧材１０の左（左辺１３側）に配置される他の化粧材１０との関係において、当該ある化粧材１０の左辺１３とその左に配置される他の化粧材１０の右辺１４とが重なるように配置される。
ここで、便宜のため化粧材の縁を「上辺」、「下辺」、「左辺」、「右辺」と表現するが、これらは、第一辺、第一辺の反対側に位置する第二辺、第一辺に直交する第三辺、第三辺の反対側に位置する第四辺をそれぞれ意味する。
又、「重なるように配置」とは、図１、図５及び図１３の如く、水平方向及び鉛直方向に隣接する化粧材１０同士が、間に空隙、目地溝、スペーサやレール等の部材を介すること無く、密接して配置されることを意味する。そして、所定の個数の化粧材１０が互いに隣接部分において重なるようにして、水平方向及び鉛直方向に配置された各化粧材が施工面を隙間無く被覆する事を化粧材１０が「配列」すると呼称する。
【００２２】
図２には１つの化粧材１０に注目した図を表した。
【００２３】
図１、図２よりわかるように、１つの化粧材１０に形成された斜めに延びる領域である斜行領域１５が具備する模様による表現が、複数の化粧材１０が配列された全体に拡張、長大化され、一方向に斜めに延びた帯状が複数配列された形態の模様を有する空間内面構造１を形成する。これにより、化粧材が施工された部分において一方向に斜めに延びる長大化した帯状が配列された模様で装飾することができる。そして、図１からもわかるように、このような装飾とするための化粧材１０の配置は通常の化粧材と同様に、化粧材をその長辺及び短辺を鉛直方向及び水平方向に合致させて縦横に配列するのみなので、施工も容易である。
以下、化粧材１０についてさらに詳しく説明する。
【００２４】
化粧材１０は、長方形又は正方形である外周を有するシート状であり、上辺１１、下辺１２、左辺１３、右辺１４を有して構成される。
そして、図２に示すように、化粧材１０の縁である上辺１１、下辺１２、左辺１３、右辺１４に対して傾斜するようにして延びると共に１対の斜行領域内境界長辺１７、１７で其の両側を挟まれた細長い領域である斜行領域１５が複数配列されている。本形態では斜行領域１５Ａ〜斜行領域１５Ｆまで６つの斜行領域を有しており、複数の斜行領域が延びる方向は平行である。
【００２５】
ここで、斜行領域１５が傾斜するとは、該斜行領域１５の両側を区画する斜行領域内境界長辺１７が化粧材１０の左辺１３又は右辺１４とのなす傾斜角をθ１、上辺１１又は下辺１２とのなす傾斜角をθ２としたときに、
０°＜θ１＜９０°  かつ  ０°＜θ２＜９０°
であることを言う。なお、斜行領域１５及び化粧材１０が共に長方形となる典型的な形態の場合は、傾斜角θ１と傾斜角θ２とは図２からも明らかなように互いに補角となるため、
θ１＋θ２＝９０°
となる。
【００２６】
各斜行領域１５は、隣り合う斜行領域１５と模様が異なるように形成されている。これにより隣り合う斜行領域１５が明確に区別され斜めに延びる構成が印象づけられる。
ここで、「模様」は、「絵柄模様」及び「凹凸模様」の両者を含み、「絵柄模様」のみ、「凹凸模様」のみ、及びその両者を組み合わせたものがある。
「絵柄模様」は平面上に形成された色及び／又はパターンよりなるものを意味し、「色」は色相、明度、彩度、及び／又は光沢度により特定される。これには例えば印刷により形成されたものが挙げられる。
一方、「凹凸模様」は３次元形状による模様を意味する。これには例えば各種エンボス加工方法により形成した凹凸を挙げることができる。
【００２７】
ここで、隣り合う斜行領域１５の境界である斜行領域内境界長辺１７は、このような模様の違いにより生じるものであってもよいし、境界として線、溝、及び／又は凸条が形成されていてもよい。より明確に斜行領域１５を視認可能として印象づける観点からは、このように境界に線、溝、及び／又は凸条が形成されていることが好ましい。
【００２８】
斜行領域に形成される模様としては、木材板表面の導管溝、年輪の隆起による凹凸（いわゆる浮造り調年輪凹凸模様）等の木目凹凸模様、花崗岩等の結晶質石材表面の劈開面構造、トラバーチン大理石板表面の凹陥分部等の石目凹凸模様、セメント、石膏、壁土等の左官加工時に表面に生成される鏝痕模様、織布又は不織布の繊維状凹凸模様（いわゆるテクスチュア）、皮革表面の皮シボ凹凸模様、万線、ヘアライン等の線条凹凸模様等を用いることができる。
【００２９】
斜行領域１５はさらに次のような構成を備えている。
ここで、各部位について次のように定義する。
・上辺１１に斜行領域１５Ａが形成する縁を縁１１Ａ、その長さをＬ１１Ａ
・上辺１１に斜行領域１５Ｂが形成する縁を縁１１Ｂ、その長さをＬ１１Ｂ
・上辺１１に斜行領域１５Ｃが形成する縁を縁１１Ｃ、その長さをＬ１１Ｃ
・下辺１２に斜行領域１５Ｄが形成する縁を縁１２Ｄ、その長さをＬ１２Ｄ
・下辺１２に斜行領域１５Ｅが形成する縁を縁１２Ｅ、その長さをＬ１２Ｅ
・下辺１２に斜行領域１５Ｆが形成する縁を縁１２Ｆ、その長さをＬ１２Ｆ
・左辺１３に斜行領域１５Ａが形成する縁を縁１３Ａ、その長さをＬ１３Ａ
・左辺１３に斜行領域１５Ｂが形成する縁を縁１３Ｂ、その長さをＬ１３Ｂ
・左辺１３に斜行領域１５Ｃが形成する縁を縁１３Ｃ、その長さをＬ１３Ｃ
・右辺１４に斜行領域１５Ｄが形成する縁を縁１４Ｄ、その長さをＬ１４Ｄ
・右辺１４に斜行領域１５Ｅが形成する縁を縁１４Ｅ、その長さをＬ１４Ｅ
・下辺１４に斜行領域１５Ｆが形成する縁を縁１４Ｆ、その長さをＬ１４Ｆ
【００３０】
辺ごとに、これに属する各縁の長さは同じとされている。すなわち、斜行領域は各縁によってこれが属する辺を等分するように構成されている。従って、Ｌ１１Ａ、Ｌ１１Ｂ、Ｌ１１Ｃは同じ長さ、Ｌ１２Ｄ、Ｌ１２Ｅ、Ｌ１２Ｆは同じ長さ、Ｌ１３Ａ、Ｌ１３Ｂ、Ｌ１３Ｃは同じ長さ、及び、Ｌ１４Ｄ、Ｌ１４Ｅ、Ｌ１４Ｆは同じ長さとなる。
【００３１】
また、互いに反対側に位置する辺１１と辺１２、及び、辺１３と辺１４とでは、斜行領域１５の縁によって各辺は同じように等分されている。本形態では辺１１と辺１２は３等分され、辺１３と辺１４も３等分されるように斜行領域が形成される。
ここで、化粧材１０は長方形又は正方形なので、互いに反対側に位置する辺に属する各縁の長さはいずれも同じとなる。従って、Ｌ１１Ａ、Ｌ１１Ｂ、Ｌ１１Ｃ、Ｌ１２Ｄ、Ｌ１２Ｅ、Ｌ１２Ｆはいずれも同じ長さ、及び、Ｌ１３Ａ、Ｌ１３Ｂ、Ｌ１３Ｃ、Ｌ１４Ｄ、Ｌ１４Ｅ、Ｌ１４Ｆはいずれも同じ長さとなる。
【００３２】
以上の構成により、互いに反対側に位置する辺１１と辺１２、及び、辺１３と辺１４とでは、ここに属する縁の端点は、ちょうど反対側となるように位置し、辺が延びる方向において位置が同じとなる。
すなわち、縁１１Ａと縁１２Ｄとを例に挙げると、これらはちょうど反対側となる位置に配置され、その端点である点ａと点ｂ、点ｃと点ｄとはｘ方向（短辺が延びる方向）において同じ位置となる。また、縁１３Ｂと縁１４Ｅとを例に挙げると、これらはちょうど反対側となる位置に配置され、その端点である点ｅと点ｆ、点ｇと点ｈとはｙ方向（長辺が延びる方向）において同じ位置となる。
他の縁についても同様である。
【００３３】
そしてさらに、ちょうど反対側となる位置に配置された縁（例えば縁１１Ａと縁１２Ｄ）において、当該縁に隣接する部位における斜行領域１５の端部の模様は、同じであるか、又は、模様が連続するように構成されている。
具体的には例えば縁１１Ａに隣接する部位における斜行領域１５の端部の模様は複数の斜線であり、縁１２Ｄに隣接する部位における斜行領域１５の端部の模様も複数の斜線であり、両者はつなぎ合わせることにより連続する模様を形成する。
他の縁についても同様に構成されている。
【００３４】
以上のように構成される斜行領域１５を有する化粧材１０により、図１のように複数の化粧材１０を縦横に配列したときに、当該複数の化粧材１０により形成された全体の模様が、１つの化粧材１０内の斜行領域１５が、これと重なるよう配置された隣接する化粧材１０内の斜行領域１５と模様が連続すると共に、その延びる方向も合致して接続することで一つの化粧材１０の外部にまで拡張され、長大化したものとなる。そのため、化粧材１０が施工された部分において一方向に斜めに延びる帯状が配列された模様で装飾することができる。また、このように装飾するに際しては、化粧材１０を通常の化粧材と同様に縦横に配置すればよいため、施工も容易である。
【００３５】
化粧材を構成する材料は従来公知の化粧材と同様の機能を有するものであればよいので、その材料は特に限定されない。樹脂、紙、織布または不織布、金属、非金属無機材料、木材或いはこれらの積層体や複合体を用いることができる。
例えば、樹脂の場合は、ポリエチレン、ポリプロピレン、オレフィン系熱可塑性エラストマー、アイオノマー等のポリオレフィン系樹脂、ポリメチルメタクリレート、ポリブチルメタクリレート等のアクリル樹脂、ポリエチレンテレフタレート、ポリブチレンテレフタレート等の熱可塑性ポリエステル樹脂、熱可塑性ウレタン樹脂、塩化ビニル樹脂、ＡＢＳ樹脂（アクリロニトリル−ブタジエン−スチレン共重合体）、スチレン樹脂等の熱可塑性樹脂、メラミン樹脂、不飽和ポリエステル樹脂、２液硬化型ウレタン樹脂等の熱硬化性樹脂、或いは、ラジカル重合型のアクリレート系やカチオン重合型のエポキシ系等の単量体やプレポリマーで電離放射線（紫外線、電子線等）で硬化する電離放射線硬化性樹脂等が用いられる。なお、これら樹脂を公知の着色剤で着色しても良い。
紙としては、上質紙、薄葉紙、クラフト紙、リンター紙、チタン紙、硫酸紙、グラシン紙、パーチメント紙等を用いることができる。
織布または不織布としては、ポリエステル樹脂、ポリアミド樹脂、アクリル樹脂等の合成樹脂繊維、絹、木綿、麻等の天然繊維、硝子等の無機繊維等の繊維からなるものを用いることができる。
金属としては、鉄、銅、錫、アルミニウム、チタニウム、或いはこれらの金属を含む合金を用いることができる。
非金属無機材料としては、セメント、珪酸カルシウム、石膏、陶磁器等を用いることができる。
木材としては、杉、檜、松、樫、ラワン、チーク等の樹木からなる単板、合板、集成材、パーチクルボード、繊維板等を用いることができる。
【００３６】
また、化粧材の厚さも特に制限は無いが、シート状又はフィルム状の場合は例えば、厚さ２０μｍ以上１０００μｍ以下程度、板状の場合は例えば、１ｍｍ以上２０ｍｍ以下程度のものが使用できる。
【００３７】
以上のような化粧材の製造方法は特に限定されることはなく、例えば絵柄模様の形成に通常のグラビア印刷の手法を用いて次のように製造することができる。
【００３８】
初めに、上記したような構成を有する斜行領域となるように、具体的には、図１のような空間内面構造を形成するように図２の如く化粧材１０を設計する。そしてこれを化粧材のデザインのパターンを印刷する版の画像とする。
【００３９】
次に、この画像データを図３に示したロール状のグラビア印刷用の版２０の表面に形成する。従って本例によれば、版２０のロール長Ｌ２０が化粧材１０の幅（ｘ方向大きさ）となり、版２０の外周の周方向における周囲長が化粧材１０の長さ（ｙ方向大きさ）となる。
そしてこの版２０を用いて所望のグラビア印刷をすることによって化粧材１０を得る。グラビア印刷の製版及び印刷の方法乃至製造加工条件については、公知の各種方法、製造加工条件を適宜選択し適用すれば良い。
又、印刷方法については、グラビア印刷の他、シルクスクリーン印刷、オフセット印刷、凸版（活版）印刷、インキジェット印刷等の各種印刷方法を適用することもできる。
【００４０】
図４、図５には変形例にかかる化粧材１０’について表した。図４は１つの化粧材１０’、図５には複数の化粧材１０’が配列された空間内面構造１’を示した。
化粧材１０’の例では、斜行領域１５の中に、これを区切って斜行領域内境界長辺１７方向に複数の小斜行領域１５Ｓ１、１５Ｓ２、１５Ｓ３、…に分割するような境界であって斜行領域内境界長辺１７と直交する斜行領域内境界短辺１６が設けられている。かかる斜行領域内境界短辺１６のうち隣接する２辺と斜行領域内境界長辺１７のうち隣接する２辺とにより、化粧材１０’中の斜行領域１５の一部は複数の小斜行領域１５Ｓ１、１５Ｓ２、１５Ｓ３、…に分割される。
例えば、図４に示したように、斜行領域１５Ｄは、斜行領域内境界短辺１６及び斜行領域内境界長辺１７により、小斜行領域１５ＤＳ１、１５ＤＳ２、１５ＤＳ３に分割される。これら小斜行領域のうち、小斜行領域１５ＤＳ２は長方形をなす。一方、小斜行領域１５ＤＳ１及び１５ＤＳ３は長方形から切り取られた長方形の一部分をなすが、化粧材１０’を施工面上に隙間なく被覆して配列した（即ち、施工した）状態においては、図５に示したように、小斜行領域１５ＤＳ１及び１５ＤＳ３は、何れも、重なって配置された隣接する化粧材１０’中の小斜行領域と接合、合体する結果、空間内面構造１’内においては、平面視形状で長方形を構成する。本発明において、「長方形から切り取られた長方形の一部分をなす」とはかかる意味に解する。
【００４１】
このような化粧材１０’においては、斜行領域内境界短辺１６を挟んで一方と他方とで模様が異なる。これによれば、図５からわかるように、一方向に斜めに延びる帯状が配列される形態を基準としつつも、当該斜め方向にブロックが並べられるような表現となる形態が付加されたデザインとすることができる。ただし、この場合であっても各斜行領域における縁などの上記した考え方は化粧材１０と同じように構成する。
ここで、斜行領域内境界短辺１６は、模様の違いにより生じるものであってもよいし、境界として線、溝、及び／又は凸条が形成されていてもよい。より明確に斜行領域内境界短辺１６を視認可能として印象づける観点からは、このように境界に線、溝、及び／又は凸条が形成されていることが好ましい。
【００４２】
また、図６〜図８に示したように、斜行領域内境界短辺１６を、隣り合う斜行領域１５の境界と異なる形態に（本形態では斜行領域内境界短辺１６及び斜行領域内境界長辺１７の一部或いは全部を黒等のより低明度で且つ幅も太く形成）することにより、例えば光が指す方向を印象づける陰影感を出すこともできる。
【００４３】
図６の形態においては、各斜行領域１５内を複数の小斜行領域１５Ｓ１、１５Ｓ２、１５Ｓ３、…に分割する斜行領域内境界短辺１６及び隣接する斜行領域１５同士を区画する斜行領域内境界長辺１７に所定の幅を持たせてある。その上で、各斜行領域内境界短辺１６については、当該所定の幅を有する斜行領域内境界短辺１６内のうちで、幅の中央部から其の上方（＋ｙ側）に位置する各小斜行領域１５Ｓ１、１５Ｓ２、１５Ｓ３、…の短辺側までの間の領域を黒色、濃灰色、茶褐色、深緑色、臙脂色、濃紫色等の低明度の無彩色又は有彩色とする。さらに、各斜行領域内境界長辺１７については、所定幅を有する斜行領域内境界長辺１７内のうちで、幅の中央部からその上方（＋ｙ側）に位置する各小斜行領域１５Ｓ１、１５Ｓ２、１５Ｓ３、…の短辺側までの領域を黒色、濃灰色、茶褐色、深緑色、臙脂色、濃紫色等の低明度の無彩色又は有彩色とする。
ここで、斜行領域内境界短辺１６及び斜行領域内境界長辺１７の所定の幅は、例えば、１ｍｍ以上１０ｍｍ以下とすることができる。
【００４４】
図６の形態の化粧材１０’は、平面視長方形の各種素材から成るブロックを各ブロックの平面視の長辺を鉛直方向に対して傾斜させて、且つ各ブロック間に目地溝を介して、煉瓦積状に配置してなる壁面の施工面の意匠外観を再現するものである。特に、小斜行領域１５Ｓ１、１５Ｓ２、１５Ｓ３、…は各ブロックの外観を、斜行領域内境界長辺１７及び斜行領域内境界短辺１６は目地（乃至目地溝）の外観を再現するものである。
そして、斜行領域内境界短辺１６及び斜行領域内境界長辺１７を以上の如く構成した化粧材１０’は、図６の如き平面視外観となるように実物のブロックを目地溝を介して煉瓦積状に配置した鉛直面と平行に延在する壁面に於いて、図６の左上方から光が入射した状態における目地溝に陰影を生じた壁面の意匠外観を再現する。
【００４５】
図７の形態においても、各斜行領域１５内を複数の小斜行領域１５Ｓ１、１５Ｓ２、１５Ｓ３、…に分割する斜行領域内境界短辺１６及び隣接する斜行領域１５同士を区画する斜行領域内境界長辺１７に所定の幅を持たせてある。
その上で、各斜行領域内境界短辺１６及び各斜行領域内境界長辺１７については、その全域（即ち、全幅に亘って）を図７の形態と同様の低明度の無彩色又は有彩色とする。
斜行領域内境界短辺１６及び斜行領域内境界長辺１７の所定の幅は、例えば、１ｍｍ以上１０ｍｍ以下の範囲とすることができる。
【００４６】
図７の形態の化粧材１０’は、平面視長方形の各種素材から成るブロックを各ブロックの平面視の長辺を床面の外縁部に対して傾斜させて、且つ各ブロック間に目地溝を介して、煉瓦積状に配置してなる床面の施工面の意匠外観を再現するものである。特に、小斜行領域１５Ｓ１、１５Ｓ２、１５Ｓ３、…は各ブロックの外観を、斜行領域内境界長辺１７及び斜行領域内境界短辺１６は目地（乃至目地溝）の外観を再現するものである。
そして、斜行領域内境界短辺１６及び斜行領域内境界長辺１７を以上の如く構成した化粧材１０’は、図７の如き平面視外観となるように実物のブロックを目地溝を介して煉瓦積状に配置した水平面と平行に延在する床面に於いて、鉛直上方、即ち、図７においては紙面前方（＋ｚ方向）から光が入射した状態に於ける目地溝に陰影を生じた壁面の意匠外觀を再現する。
【００４７】
図８の形態においても、各斜行領域１５内を複数の小斜行領域１５Ｓ１、１５Ｓ２、１５Ｓ３、…に分割する斜行領域内境界短辺１６及び隣接する斜行領域１５同士を区画する斜行領域内境界長辺１７に所定の幅を持たせてある。
その上で、所定幅を有する各斜行領域内境界短辺１６内及び各斜行領域内境界長辺１７内の領域は黒色、濃灰色、茶褐色、深緑色、臙脂色、濃紫色等の低明度の無彩色又は有彩色とすると共に、幅方向中央部の明度が最も低く、幅方向において中央部から両側に遠ざかるにつれて明度が上昇するよう構成される。
斜行領域内境界短辺１６及び斜行領域内境界長辺１７の所定の幅は、例えば、１ｍｍ以上１０ｍｍ以下の範囲とすることができる。
【００４８】
図８の形態の化粧材１０’は、平面視長方形の各種素材からなるブロックを各ブロックの平面視の長辺を床面の外縁部に対して傾斜させて、且つ各ブロック間に目地溝を介して、煉瓦積状に配置してなる床面の施工面の意匠外観を再現するものである。特に、小斜行領域１５Ｓ１、１５Ｓ２、１５Ｓ３、…は各ブロックの外観を、斜行領域内境界長辺１７及び斜行領域内境界短辺１６は目地（乃至目地溝）の外観を再現するものである。
そして、斜行領域内境界短辺１６及び斜行領域内境界長辺１７を以上の如く構成した化粧材１０’は、図８の如き平面視外観となるように実物のブロックを目地溝を介して煉瓦積状に配置した水平面と平行に延在する床面において、鉛直上方、すなわち、図８においては紙面前方（＋ｚ方向）から光が入射した状態における目地溝に陰影を生じた壁面の意匠外観を再現する。
【００４９】
図９〜図１５は他の形態にかかる化粧材を説明する図を表した。以下に示す各形態にかかる化粧材でも、上記した化粧材１０と同様の効果を有するものとなる。また、これら他の形態にかかる化粧材により、化粧材１０とは例えば斜行領域１５の傾斜角度が異なる等、基本デザインは同じとしつつも他のバリエーションの化粧材となる。
【００５０】
図９は第二の形態にかかる化粧材１１０である。化粧材１１０では、幅方向（ｘ方向）となる上辺１１及び下辺１２を６等分し、長さ方向（ｙ方向）となる左辺１３及び右辺１４を３等分することで、斜行領域１５（１５Ａ〜１５Ｉ）を形成した例である。斜行領域１５の形態については上記した化粧材１０と同様の考えに基づいて構成する。
【００５１】
図１０は第三の形態にかかる化粧材２１０である。化粧材２１０では、幅方向（ｘ方向）となる上辺１１及び下辺１２を３等分し、長さ方向（ｙ方向）となる左辺１３及び右辺１４を６等分することで、斜行領域１５（１５Ａ〜１５Ｉ）を形成した例である。斜行領域１５の形態については上記した化粧材１０と同様の考えに基づいて構成する。
【００５２】
図１１は第四の形態にかかる化粧材３１０である。化粧材３１０では、幅方向（ｘ方向）となる上辺１１及び下辺１２を８等分し、長さ方向（ｙ方向）となる左辺１３及び右辺１４も８等分することで、斜行領域１５（１５Ａ〜１５Ｐ）を形成した例である。
なお、図１１では、簡略化のため、各斜行領域１５に付される模様は省略し、代わりにアルファベットＡ〜Ｐを付した。斜行領域１５の形態については上記した化粧材１０と同様の考えに基づいて構成する。
【００５３】
図１２は、化粧材３１０の変形例にかかる化粧材３１０’である。また、図１３には複数の化粧材３１０’が縦横に配列された空間内面構造３０１’を示した。
化粧材３１０’では、化粧材３１０において、各斜行領域１５に木目調の模様が付された例である。また、化粧材３１０’では、斜行領域１５の中で斜行領域内境界短辺１６が設けられ、当該斜行領域内境界短辺１６を挟んで一方と他方とで模様の態様が連続しない異なる形態である。これによれば、図１３からわかるように、一方向に斜めに延びる帯状の木目調が配列される形態を基準としつつも、当該斜め方向に木板のブロックが並べられる形態が付加されたデザインとなる。
ただし、この場合であっても各斜行領域１５における形態については上記化粧材１０と同様の考えに基づいて構成される。
【００５４】
図１４は第五の形態にかかる化粧材４１０である。化粧材４１０では、幅方向（ｘ方向）となる上辺１１及び下辺１２を４等分し、長さ方向（ｙ方向）となる左辺１３及び右辺１４を６等分することで、斜行領域１５（１５Ａ〜１５Ｊ）を形成した例である。
なお、図１４では、簡略化のため、各斜行領域１５に付される模様は省略し、代わりにアルファベットＡ〜Ｊを付した。斜行領域１５の形態については上記した化粧材１０と同様の考えに基づいて構成される。
【００５５】
図１５は第六の形態にかかる化粧材５１０である。化粧材５１０では、幅方向（ｘ方向）となる上辺１１及び下辺１２を４等分し、長さ方向（ｙ方向）となる左辺１３及び右辺１４を３等分することで、斜行領域１５（１５Ａ〜１５Ｇ）を形成した例である。
なお、図１５では、簡略化のため、各斜行領域１５に付される模様は省略し、代わりにアルファベットを付した。斜行領域１５の形態については上記した化粧材１０と同様の考えに基づいて構成される。
【符号の説明】
【００５６】
１０、１１０、２１０、３１０、４１０、５１０  化粧材
１１  上辺（第一辺）
１２  下辺（第二辺）
１３  左辺（第三辺）
１４  右辺（第四辺）
１５  斜行領域
１５Ｓ１、１５Ｓ２、１５Ｓ３  小斜行領域
１６  斜行領域内境界短辺
１７  斜行領域内境界長辺
【図１】
2020045742.tif 000003
【図２】
2020045742.tif 000004
【図３】
2020045742.tif 000005
【図４】
2020045742.tif 000006
【図５】
2020045742.tif 000007
【図６】
2020045742.tif 000008
【図７】
2020045742.tif 000009
【図８】
2020045742.tif 000010
【図９】
2020045742.tif 000011
【図１０】
2020045742.tif 000012
【図１１】
2020045742.tif 000013
【図１２】
2020045742.tif 000014
【図１３】
2020045742.tif 000015
【図１４】
2020045742.tif 000016
【図１５】
2020045742.tif 000017